(57)【要約】【課題】  操作品位を高めることができる操作ボタン構造を有した電子装置を提供する。【解決手段】  電子装置１の操作パネル３に設けられ、操作釦５をガイドするガイド部１６と操作釦５の釦軸１４とを点接触させる擦動部１５を有した構成であって、擦動部１５は釦軸１４またはガイド部１６のいずれか一方を半球状の形とし他方を面とすることで、成型用の金型構造に従来のものを用いることができる樹脂操作釦構造でありながら、擦動摩擦の操作感に対する影響を最小限に押える。【選択図】図３
2007165222.tif 000002
【特許請求の範囲】
【請求項１】
押下して装置の操作を行うための操作釦と、前記操作釦を保持する操作パネルと、前記操作パネルに設けられ前記操作釦の移動を案内する釦ガイドとを備えた電子装置であって、
前記操作釦と前記釦ガイドとが点接触する擦動部を有した電子装置。
【請求項２】
前記擦動部は半球状である請求項１記載の電子装置。
【請求項３】
前記擦動部は、前記操作釦に前記操作釦の押下方向に沿って複数設けられた請求項１または２記載の電子装置。
【請求項４】
前記擦動部は、前記操作釦に前記操作釦の幅方向に沿って複数設けられた請求項1または２記載の電子装置。
【請求項５】
前記擦動部は、前記釦ガイドに前記操作釦の押下方向に沿って複数設けられた請求項１または２記載の電子装置。
【請求項６】
前記擦動部は、前記釦ガイドに前記操作釦の幅方向に沿って複数設けられた請求項1または２記載の電子装置。
【発明の詳細な説明】
【技術分野】
【０００１】
本発明は、操作釦を有する電子装置に関するものである。
【背景技術】
【０００２】
従来の電子装置に用いられるスイッチを操作する押釦において、位置ずれすることなく押釦の押下方向の移動をするものがある（例えば特許文献１参照）。図７は、前記特許文献１に記載された従来の電子装置における押釦を示すものである。図７において、ケース１０４の下面の透孔１０５の外側にはキー釦１０６の動きをガイドするためのリブ１１１が一体に形成されており、このガイド用のリブ１１１に沿ってキー釦１０６が位置ずれすることなく上下動する。
【特許文献１】実開平７−０１６３３７号公報（第００１１段落）
【発明の開示】
【発明が解決しようとする課題】
【０００３】
しかしながら従来の構造を樹脂成型で実現させる場合、金型の構造上、抜き勾配が必要なため、押釦のガイド部（リブ）１１１を、このガイド部にガイドされる押釦の釦軸１１４に対して平行に成型する事ができないので、操作時のひっかかりや操作感が重くなることを避けるため、釦軸１１４の外周面とガイド部１１１との隙間を広くしなければならず、この結果、操作部のガタつきの増加を招き、操作感品位の低下を招くという課題があった。
【０００４】
本発明は、上記従来の問題を解決するためになされたもので、金型で成形された樹脂操作釦構造でありながら、接触抵抗を少なく抑えたまま、釦ガタを少なくし、樹脂操作釦の操作感品位の向上させることができる電子装置を提供することを目的とする。
【課題を解決するための手段】
【０００５】
本発明の電子装置は、押下して装置の操作を行うための操作釦と、前記操作釦を保持する操作パネルと、前記操作パネルに設けられ前記操作釦の移動を案内する釦ガイドとを備えた電子装置であって、前記操作釦と前記釦ガイドとが点接触する擦動部を有した構成を備えている。
【０００６】
この構成により、操作釦と釦ガイドとの接触抵抗を少なく抑えたまま、釦ガタを少なくし、樹脂操作釦の操作感品位を向上させることとなる。
【０００７】
また、本発明の電子装置は、前記擦動部は半球状である構成を有している。
【０００８】
この構成により、簡単な構成で操作釦と釦ガイドとを点接触させることができる。
【０００９】
さらに、本発明の電子装置は、前記擦動部が前記操作釦の押下方向に沿って複数設けられた構成を有している。
【００１０】
この構成により、奥行き方向を軸とした高さ方向の微動（ガタ）が低減できることとなる。
【００１１】
さらに、本発明の電子装置は、前記擦動部が前記操作釦の幅方向に沿って複数設けられた構成を有している。
【００１２】
この構成により、操作釦の、幅方向を軸とした場合の高さ方向の微動を低減することができることとなる。
【発明の効果】
【００１３】
以上のように本発明は、簡単な構成で樹脂操作釦のガタを押えるとともに、操作品位を向上することができる。
【発明を実施するための最良の形態】
【００１４】
以下本発明の実施の形態の樹脂製釦構造について、図面を用いて説明する。
【００１５】
本発明の第１の実施の形態の電子装置としてのカーオーディオを図１に示す。
なお、以下の説明において、図１（ａ）に記載のＸ方向を幅方向、Ｙ方向を奥行き方向、Ｚ方向を高さ方向として説明する。
【００１６】
図１において、カーオーディオ（電子装置）１は、図示しないＣＤデッキやラジオチューナ、あるいは、それらを電気的に制御するためのＩＣを実装したプリント基板などを内部に収容した筐体２を有し、筐体２の前面部に操作パネル３が嵌合できるように構成されている。操作パネル３より奥側の筐体部分は自動車のセンターコンソール内部に組み込まれ、車両に取り付けられた際は、外観上、操作部４が使用者に対して露出されて、車室内のエアコンパネルなど他のパネルと一体感を出すように装着される。
【００１７】
操作者は操作パネル３に設けられた複数の操作釦５（５ａ〜５ｆ）を押下すること、あるいはボリューム操作部６を回転させることなどの操作を行ってカーオーディオ１の各機能を操作する。
【００１８】
カーオーディオ１のような車載用に用いられる電子装置の場合、装置の使用者が運転者であることが多いため、ブラインドタッチがしやすい操作パネルとすることが望ましい。本実施形態において、一列に並んだ複数の操作釦５ａ〜５ｆはそれぞれ操作者が押下可能に操作パネル３に保持されており、これら複数の操作釦５ａ〜５ｆは仕切板７を用いて操作釦レイアウトを触感的に捉えやすくさせて、誤操作防止の役割を果たしている。
【００１９】
また、釦の果たす機能を仕切板７によって分けている。すなわち、例えば操作釦５ａには押す度にラジオモード、ＣＤ再生モード、カセットテープ再生モードなどにモードが切り替わるモード切替の機能を持たせ、仕切板７で仕切られた操作釦５ｂ〜５ｅにはラジオモードの場合のラジオ局選択や、ＣＤ再生モードの場合の早送り、巻戻しを実行指示する指示機能を持たせるなどして、操作性向上、誤操作防止に役立てている。
【００２０】
以上のように構成されたカーオーディオ１について、図２、図３、図４を用いて操作部４の詳細を説明する。
【００２１】
図２は、本発明の実施の形態における電子装置の操作部の分解斜視図である。
【００２２】
図２において操作部４は、手前側から奥行き方向に向かって複数の操作釦を保持する操作パネル３、および、操作釦５の下方向（この場合奥行き方向Ｙと略同じ方向）に位置するスイッチ９、さらに、このスイッチ９が押下されることで操作信号を作り、指示されたカーオーディオ１の機能を実行させるための電子回路を搭載した操作基板１０などからなる。
【００２３】
複数の操作釦５は操作パネル３に形成された釦保持部１１（図３参照）において操作パネル３に保持されるとともに押下方向に移動可能となっている。また、釦保持部１１の奥
行き方向奥側すなわち筐体２側には釦の押下方向の移動を制限する係止壁１２が設けられており、これにより操作釦を押下した際に、操作釦が釦保持部１１をすりぬけてしまうのを防いでいる。また、不図示の構造によって操作釦５が操作パネル３の手前側に脱落することを防止する脱落防止構造を有している。
【００２４】
操作者が操作釦５を押下（たとえば、指で操作釦を押すなど）すると、押下された操作釦５がその釦の下にあるスイッチ９に設けられたスイッチ押下部８を押下する。これにより、押下されたスイッチ押下部８がスイッチ９内部の図示しない弾性部材の弾性力に反してその裏面の配線を短絡させる。その後、操作者が操作釦５の押下を解除する（すなわち、操作釦から指を離す）と、弾性変形した弾性部材が押下前の状態に戻す反力が生じ、この反力を受けて操作釦５は釦保持部１１に沿って操作パネル３の手前側にもどることとなる。
【００２５】
操作基板１０にはオーディオ１の各機能を操作指示するための信号を発生させるための部品などが設けられており（図示せず）、それら部品間をプリント配線が接続している。本実施の形態においては、操作基板１０にプリントされた配線を開放端にして、一端側に数ボルトの電圧を印加させ、他端側をグランドレベルに接地した状態としている。すなわち、スイッチ押下部８がスイッチ９内部の図示しない弾性部材の弾性力に反してその裏面の配線を短絡させるので、ボタンの押下と連動して開放端を短絡することで操作指示信号の信号レベルを変化させ、この信号レベルの変化を検出させて各種操作機能が実行されることとなる。
【００２６】
次に、操作パネル３に一体形成された釦保持部１１と操作釦５との配置および形状について説明する。図３は釦５（５ａ〜５ｆのいずれか）の幅方向（すなわちＸ方向）中央を通り、高さ方向に延在する平面（すなわちＸ軸とＺ軸とがなす平面）で切った断面図である。
【００２７】
図３において、操作釦５は操作者側に向かって設けられた操作者が押下するための操作部１３と、操作者の押下動作によってスイッチ９のスイッチ押下部８を押下するための釦軸１４と、釦軸１４の表面から突出して設けられた擦動部１５が一体形成されている。
【００２８】
また、操作パネル３には操作釦５を挿通可能に保持するように釦保持部１１が設けられている。この釦保持部１１は操作釦５の操作部１３を逃れるように窪んでおり、さらに操作パネル３の奥側に向かってガイド部１６が設けられている。
【００２９】
操作釦５に設けられた擦動部１５は半球状の形状をしており、操作パネル３に設けられたガイド部１６の面と点接触することで操作釦５が操作パネルに保持されている。点接触で釦をガイドする事により接触抵抗が小さくなるので操作釦５を押下する際の力は軽くて済み、且つ操作釦５の押下中も操作釦５をガイド部１６に保持することができるため、釦のガタを低減できることとなる。
【００３０】
以上のように構成された操作釦５および操作パネル３などの操作釦構造を有したカーオーディオに対して、操作者が、例えばラジオ局選択やＣＤ再生モードの場合の早送り、巻戻しなどの操作を実行させるために操作釦５を押下すると操作釦５は擦動部１５とガイド部１６との２点支持により構成されるガイド構造にガイドされ移動する。スイッチ押下部８が操作基板１０に実装されたスイッチ９を押下し、操作信号が生じてラジオ局選択やＣＤなどの各機能が実行される。
【００３１】
ここで、本実施例における釦５の形状は、図４に示すように釦軸５２を四角柱としているため擦動部１５は四角柱のガイド部１６に対応した各面にそれぞれ設けられている。擦
動部１５は半球状の形状としているが、断面円弧状のものなどガイド部１６と点接触可能な形状であればよく、半球状に限らない。
【００３２】
また、擦動部１５を操作釦５の押下方向に沿って複数個設けることで、奥行き方向（Ｙ方向）に対するガタ（Ｚ方向のガタ）が低減でき、さらに、擦動部１５を操作釦の幅方向に沿って複数個設けることで、幅方向（Ｘ方向）に対するガタ（Ｚ方向のガタ）を低減することができる。
【００３３】
この他、図５に示すようにガイド部１６に擦動部１５を設けてもよいさらに、図６に示すように釦軸１４を角柱形状にせず円柱状とし、擦動部１５をこの円柱に周設させるようにしてもよい。
【００３４】
また、本実施の形態においては、操作釦５の釦軸１４が操作部１３よりも細く形成されている（すなわち、Ｘ軸とＺ軸とがなす平面で操作部１３および釦軸を切り取った場合、操作部１３の断面の面積は釦軸１４の断面の面積よりも大きく形成されている）が、操作部１３と釦軸１４との太さを同じに（すなわち、Ｘ軸とＺ軸とがなす平面で操作部１３および釦軸を切り取った場合において、操作部１３の断面の面積と釦軸１４の断面の面積とが同じ大きさに形成するように）してもよい。
【００３５】
なお、スイッチ９の部分には任意のスイッチを配置する事が可能であり、例えばゴム接点スイッチのような物を配置しても構わない。またそのスイッチ９を操作するスイッチ押下部８についても形状、位置とも任意であり、スイッチを操作する機能を有していればよい。
【００３６】
以上のように、本発明に係る電子装置によれば、操作釦と操作釦を保持する操作パネルとが点接触する構成としたことで、成型用金型構造が簡単な樹脂操作釦でありながら、接触抵抗を少なく抑えたまま、釦ガタを低減することができ、操作釦の操作品位及び外観品位の向上させることが可能となる。より具体的には、従来のガイド部と擦動部とが線接触する構成では、線接触による擦動摩擦の操作感に対する影響を最小限に押えるために釦軸とガイドとの隙間を広く設けなければならず、さらに、この隙間を広くすることで外観の品位も低下させてしまっていたが、従来のガイド部と擦動部とが点接触する構成としたことで、釦軸とガイドとの隙間を狭くすることができ、これにより外観の品位を低下させることを防止することができる。
【産業上の利用可能性】
【００３７】
以上のように、本発明にかかる電子装置は、操作パネルに対して移動動作する操作釦が、操作パネルに点接触して保持されるようにしたので、操作品位および意匠上の品位とを高めることができるという効果を有し、樹脂製の操作釦を有した電子装置等に有用である。
【図面の簡単な説明】
【００３８】
【図１】（ａ）本発明の実施の形態における電子装置の斜視図（ｂ）本発明の実施の形態における電子装置の正面図
【図２】本発明の実施の形態における電子装置の操作部の分解斜視図
【図３】本発明の実施の形態における電子装置の操作釦の構造説明のための断面図
【図４】本発明の実施の形態における電子装置の操作釦の構造説明のための斜視図
【図５】本発明の実施の形態における電子装置の操作パネルの構造説明のための断面図
【図６】本発明の実施の形態における電子装置の他の操作釦の構造説明のための斜視図
【図７】従来の電子装置における釦構造図
【符号の説明】
【００３９】
１  カーオーディオ（電子装置）
２  筐体
３  操作パネル
４  操作部
５  操作釦
６  ボリューム操作部
７  仕切板
８  スイッチ押下部
９  スイッチ
１０  操作基板
１１  釦保持部
１２  係止壁
１３  操作部
１４  釦軸
１５  擦動部
１６  ガイド部
１０４  ケース
１０５  透孔
１０６  キー釦
１１１  リブ
１１４  釦軸
【図１】
2007165222.tif 000003
【図２】
2007165222.tif 000004
【図３】
2007165222.tif 000005
【図４】
2007165222.tif 000006
【図５】
2007165222.tif 000007
【図６】
2007165222.tif 000008
【図７】
2007165222.tif 000009